(57)【要約】【課題】携帯通信端末を利用して容易に接続することができる映像通信システム、携帯通信端末、映像通信端末、映像通信プログラム、携帯通信端末プログラムおよび映像通信端末プログラムを提供することである。【解決手段】本発明にかかる映像通信システム１００においては、携帯通信端末２００およびＳＴＢ３００のいずれか一方が、ＳＴＢ３００が無線ルータ５００と通信できない場合に、ＳＴＢ３００および携帯通信端末２００を接続し、無線ルータから携帯通信端末２００を介して接続情報をＳＴＢ３００へ取得させ、ＳＴＢ３００と無線ルータ５００とを接続するよう制御する。【選択図】図１
2014078771.tif 000002
【特許請求の範囲】
【請求項１】
外部インターネットに接続可能な無線接続機器と、
前記無線接続機器と接続された携帯通信端末と、
映像表示装置に取り付けられる映像通信端末と、を含み、
前記携帯通信端末および前記映像通信端末のいずれか一方は、
前記映像通信端末が前記無線接続機器と通信できない場合に、前記映像通信端末および前記携帯通信端末を接続し、前記無線接続機器から前記携帯通信端末を介して接続情報を前記映像通信端末へ取得させ、前記映像通信端末と前記無線接続機器とを接続するよう制御することを特徴とする映像通信システム。
【請求項２】
前記映像通信端末は、
前記映像表示装置の操作部を用いて前記接続情報を初期化できることを特徴とする請求項１記載の映像通信システム。
【請求項３】
前記映像通信端末は、
前記接続情報を初期化するためのリセットスイッチを有することを特徴とする請求項１または２に記載の映像通信システム。
【請求項４】
前記携帯通信端末は、
前記映像通信端末を介して前記映像表示装置を操作可能であることを特徴とする請求項１から３のいずれか１項に記載の映像通信システム。
【請求項５】
１または複数の前記映像通信端末は、それぞれ個別識別情報を有し、
１または複数の前記携帯通信端末は、
前記個別識別情報に応じて１または複数の前記映像表示装置を操作することを特徴とする請求項４記載の映像通信システム。
【請求項６】
前記映像通信端末は、個別識別情報を前記映像表示装置に画像情報として表示させることを特徴とする請求項４または５記載の映像通信システム。
【請求項７】
前記携帯通信端末は、
前記映像通信端末の位置情報を記録し、記録された前記位置情報に基づいて前記映像通信端末と通信を行なうことを特徴とする請求項４記載の映像通信システム。
【請求項８】
外部インターネットに接続可能な無線接続機器と接続された携帯通信端末であって、
前記携帯通信端末は、
映像表示装置に取り付けられた映像通信端末が前記無線接続機器と通信できない場合に、前記携帯通信端末が前記映像通信端末と接続し、前記無線接続機器から得た接続情報を前記映像通信端末に取得させ、前記映像通信端末と前記無線接続機器とを接続するよう制御することを特徴とする、携帯通信端末。
【請求項９】
外部インターネットに接続可能な無線接続機器と接続された携帯通信端末とを有するシステム内において、映像表示装置に取り付けられる映像通信端末であって、
前記映像通信端末は、
前記映像通信端末が前記無線接続機器と通信できない場合に、前記映像通信端末は、前記携帯通信端末と接続し、前記無線接続機器から前記携帯通信端末を介して接続情報を取得し、前記無線接続機器と接続するよう制御することを特徴とする、映像通信端末。
【請求項１０】
外部インターネットに接続可能な無線接続機器、前記無線接続機器と接続された携帯通信端末および映像表示装置に取り付けられる映像通信端末に用いる映像通信プログラムであって、
前記映像通信プログラムは、
前記映像通信端末が前記無線接続機器と通信可能か否かを判定する第１処理と、
前記第１処理において通信不可と判定された場合に、前記映像通信端末および前記携帯通信端末を接続する第２処理と、
前記映像通信端末および前記無線接続機器の接続情報を前記携帯通信端末を介して前記映像通信端末へ取得させる第３処理と、
前記第３処理により取得された接続情報に基づいて前記映像通信端末と前記無線接続機器とを接続する第４処理と、を含むことを特徴とする映像通信プログラム。
【請求項１１】
外部インターネットに接続可能な無線接続機器と接続された携帯通信端末に用いられる携帯通信端末プログラムであって、
前記携帯通信端末プログラムは、
前記映像通信端末が前記無線接続機器と通信可能か否かを判定する第５処理と、
前記第５処理において通信不可と判定された場合に、前記携帯通信端末が前記映像通信端末に接続する第６処理と、
前記映像通信端末および前記無線接続機器の接続情報を前記携帯通信端末を介して前記映像通信端末へ取得させる第７処理と、
前記第７処理により取得された接続情報に基づいて前記映像通信端末と前記無線接続機器とを接続させる第８処理と、を含むことを特徴とする、携帯通信端末プログラム。
【請求項１２】
外部インターネットに接続可能な無線接続機器および接続された携帯通信端末を有するシステム内において、映像表示装置に取り付けられる映像通信端末に用いられる映像通信端末プログラムであって、
前記映像通信端末プログラムは、
前記映像通信端末が前記無線接続機器と通信可能か否かを判定する第９処理と、
前記第９処理において通信不可と判定された場合に、前記映像通信端末および前記携帯通信端末を接続する第１０処理と、
前記映像通信端末および前記無線接続機器の接続情報を前記携帯通信端末を介して前記映像通信端末へ取得させる第１１処理と、
前記第１１処理により得られた接続情報に基づいて前記映像通信端末と前記無線接続機器とを接続する第１２処理と、を含むことを特徴とする映像通信端末プログラム。
【発明の詳細な説明】
【技術分野】
【０００１】
本発明は、映像通信システム、携帯通信端末、映像通信端末、映像通信プログラム、携帯通信端末プログラムおよび映像通信端末プログラムに関する。
【背景技術】
【０００２】
従来から、通信関係について多数のシステムが提案され開発されている。
例えば、特許文献１（特許第３９４４１１８号公報）には、家庭内のホームサーバに蓄積された情報を公衆網を介して外出先から容易に利用することができるサーバ装置、携帯端末装置及び情報利用装置について開示されている。
特許文献１記載の発明においては、家庭内のホームサーバに蓄積された情報を公衆網を介して外出先から容易に利用することができないという問題と、公衆網からの不正ユーザによるアクセスを容易に排除することができないという問題とを解消すると記載されている。
【０００３】
また、特許文献２（特許第３６３６６４７号公報）には、接続したいサービス名を選択するだけで、ユーザＩＤ及びパスワードを接続の度に入力することなく、簡単に接続動作を行なうことができるインターネット接続装置、インターネット接続方法、及びインターネット接続プログラムを記録した記録媒体について開示されている。
特許文献２（特許第３６３６６４７号公報）記載の発明においては、複数のユーザＩＤを有する利用者にとっては、複数のユーザＩＤとパスワードの組合せを該当するサービス毎に覚えておかなければならず、煩わしいという問題を解消すると記載されている。
【０００４】
特許文献３（特開２０１１−１９８２３５号公報）には、無線通信機能を備えた携帯端末において、無線通信の利用が予定されたプログラムを端末の起動時に立ち上げることができ、且つその立ち上げ前に当該プログラムで無線接続される無線通信デバイスとの接続処理を完了させておくことができる携帯端末について開示されている。
特許文献３（特開２０１１−１９８２３５号公報）記載の発明においては、端末起動時に立ち上げるべきプログラムが無線通信を利用するプログラムの場合、端末起動時にプログラムを自動的に立ち上げても、接続対象となる外部装置との間で接続処理が完了していないと無線通信を実行できないという問題を解消すると記載されている。
【０００５】
さらに、特許文献４（特開２０１１−１５４６５８号公報）には、接続を許可するための認証処理を簡易にする画像データを通信する無線装置について開示されている。
特許文献４（特開２０１１−１５４６５８号公報）記載の発明においては、デジタルカメラにおける処理量の増加を抑制するために、デジタルカメラによって既に取得されている情報を有効に利用することが望ましいが、安全性の低下の抑制も要求される問題を解消すると記載されている。
【０００６】
特許文献５（特開２００６−３３８２９１号公報）には、アクセス管理に関わる登録等の処理を効率的に行なえるようにする電子機器およびアクセス管理用プログラムについて開示されている。
特許文献５（特開２００６−３３８２９１号公報）記載の発明においては、登録や設定などの作業は使用者にとって煩雑で分かり難く、手間がかかり、間違った操作をしてしまう可能性もある問題を解消すると記載されている。
【０００７】
特許文献６（特開２００６−３１８２７９号公報）には、無線接続した機器を利用可能にコンピュータを確実に設定することが可能な無線接続設定プログラム、記録媒体、コンピュータ、及び無線ネットワークについて開示されている。
【０００８】
特許文献６（特開２００６−３１８２７９号公報）記載の発明においては、機器側に設定した設定内容を忘れてしまったり、設定内容を間違えてしまった場合には、パーソナルコンピュータと機器とを再度無線接続できなくなってしまうため、パーソナルコンピュータは、機器を認識することができず、機器を利用するために必要なプログラムを設定できなくなってしまうのである。特に、設定内容の１つであるセキュリティ設定は、一旦設定が終了すると、パスワードや暗号キーを確認する方法がないため、最初から設定をやり直す以外に方法がないという問題を解消すると記載されている。
【先行技術文献】
【特許文献】
【０００９】
【特許文献１】特許第３９４４１１８号公報
【特許文献２】特許第３６３６６４７号公報
【特許文献３】特開２０１１−１９８２３５号公報
【特許文献４】特開２０１１−１５４６５８号公報
【特許文献５】特開２００６−３３８２９１号公報
【特許文献６】特開２００６−３１８２７９号公報
【発明の概要】
【発明が解決しようとする課題】
【００１０】
しかしながら、近年携帯通信端末の飛躍的な進歩により、携帯通信端末を所有する状況が多くなり、当該携帯通信端末であらゆる処理を行なうことが望まれている。
【００１１】
本発明の目的は、携帯通信端末を利用して容易に接続することができる映像通信システム、携帯通信端末、映像通信端末、映像通信プログラム、携帯通信端末プログラムおよび映像通信端末プログラムを提供することである。
【課題を解決するための手段】
【００１２】
（１）
一局面に従う映像通信システムは、外部インターネットに接続可能な無線接続機器と、無線接続機器と接続された携帯通信端末と、映像表示装置に取り付けられる映像通信端末と、を含み、携帯通信端末および映像通信端末のいずれか一方は、映像通信端末が無線接続機器と通信できない場合に、映像通信端末および携帯通信端末を接続し、無線接続機器から携帯通信端末を介して接続情報を映像通信端末へ取得させ、映像通信端末と無線接続機器とを接続するよう制御するものである。
【００１３】
映像通信システムでは、携帯通信端末および映像通信端末のいずれか一方が、映像通信端末が無線接続機器と通信できない場合に、映像通信端末および携帯通信端末を接続し、無線接続機器から携帯通信端末を介して接続情報を映像通信端末へ取得させ、映像通信端末と無線接続機器とを接続するよう制御する。
【００１４】
この場合、初期状態で映像通信端末が、無線接続機器と通信できない場合であっても、携帯通信端末を利用して映像通信端末を無線接続機器と容易に接続することができる。
【００１５】
（２）
第２の発明にかかる映像通信システムは、一局面に従う映像通信システムにおいて、映像通信端末は、映像表示装置の操作部を用いて接続情報を初期化してもよい。
【００１６】
この場合、携帯通信端末が故障、紛失、機種変更または通信障害の場合であっても、映像表示装置の操作部を用いて接続情報を初期化することができる。
【００１７】
（３）
第３の発明にかかる映像通信システムは、一局面に従うまたは第２の発明にかかる映像通信システムにおいて、映像通信端末は、接続情報を初期化するためのリセットスイッチを有してもよい。
【００１８】
この場合、携帯通信端末が故障、紛失、機種変更または通信障害の場合であっても、映像通信端末のリセットスイッチを操作することにより、接続情報を初期化することができる。
【００１９】
（４）
第４の発明にかかる映像通信システムは、一局面に従う、第２の発明または第３の発明にかかる映像通信システムにおいて、携帯通信端末は、映像通信端末を介して映像表示装置を操作可能であることが好ましい。
【００２０】
この場合、携帯通信端末は、映像通信端末を介して映像表示装置を操作することができるので、映像表示装置のリモコンを用いる必要がない。
【００２１】
（５）
第５の発明にかかる映像通信システムは、第４の発明にかかる映像通信システムにおいて、１または複数の映像通信端末は、それぞれ個別識別情報を有し、１または複数の携帯通信端末は、個別識別情報に応じて１または複数の映像表示装置を操作してもよい。
【００２２】
この場合、１または複数の映像通信端末は、それぞれ個別識別情報を有しているので、１または複数の携帯通信端末は、１または複数の映像表示装置を容易に操作することができる。
【００２３】
（６）
第６の発明にかかる映像通信システムは、第４の発明または第５の発明にかかる映像通信システムにおいて、映像通信端末は、個別識別情報を映像表示装置に画像情報、ＱＲコード（登録商標）として表示させてもよい。
【００２４】
この場合、映像通信端末は、映像表示装置に個別識別情報を画像情報として表示させることができるので、携帯通信端末のカメラにより画像情報を撮像し、個別識別情報を認識することができる。
したがって、携帯通信端末は、複数の映像表示装置が存在する場合であっても、個別識別情報を有する映像通信端末に対してのみ操作することができる。
【００２５】
（７）
第７の発明にかかる映像通信システムは、第４の発明にかかる映像通信システムにおいて、携帯通信端末は、映像通信端末の位置情報を記録し、記録された位置情報に基づいて映像通信端末と通信を行なってもよい。
【００２６】
この場合、携帯通信端末は、映像通信端末の位置情報を記録しているので、当該位置情報に基づいて映像通信端末と通信を行なうことができる。その結果、複数の映像通信端末が存在する場合であっても、容易に映像通信端末を特定し、操作することができる。
【００２７】
（８）
他の局面に従う携帯通信端末は、外部インターネットに接続可能な無線接続機器と接続された携帯通信端末であって、携帯通信端末は、映像表示装置に取り付けられた映像通信端末が無線接続機器と通信できない場合に、携帯通信端末が映像通信端末と接続し、無線接続機器から得た接続情報を映像通信端末に取得させ、映像通信端末と無線接続機器とを接続するよう制御するものである。
【００２８】
携帯通信端末は、映像表示装置に取り付けられた映像通信端末が無線接続機器と通信できない場合に、携帯通信端末が映像通信端末と接続し、無線接続機器から得た接続情報を映像通信端末に取得させ、映像通信端末と無線接続機器とを接続する。
【００２９】
この場合、初期状態で映像通信端末が、無線接続機器と通信できない場合であっても、携帯通信端末を利用して映像通信端末を無線接続機器と容易に接続することができる。
【００３０】
（９）
さらに他の局面に従う映像通信端末は、外部インターネットに接続可能な無線接続機器と接続された携帯通信端末とを有するシステム内において、映像表示装置に取り付けられる映像通信端末であって、映像通信端末は、映像通信端末が無線接続機器と通信できない場合に、映像通信端末は、携帯通信端末と接続し、無線接続機器から携帯通信端末を介して接続情報を取得し、無線接続機器と接続するよう制御する。
【００３１】
映像通信端末は、映像表示装置に取り付けられた映像通信端末が無線接続機器と通信できない場合に、携帯通信端末が映像通信端末と接続し、無線接続機器から得た接続情報を映像通信端末に取得させ、映像通信端末と無線接続機器とを接続する。
【００３２】
この場合、初期状態で映像通信端末が、無線接続機器と通信できない場合であっても、携帯通信端末を利用して映像通信端末を無線接続機器と容易に接続することができる。
【００３３】
（１０）
さらに他の局面に従う映像通信プログラムは、外部インターネットに接続可能な無線接続機器、無線接続機器と接続された携帯通信端末および映像表示装置に取り付けられる映像通信端末に用いる映像通信プログラムであって、映像通信プログラムは、映像通信端末が無線接続機器と通信可能か否かを判定する第１処理と、第１処理において通信不可と判定された場合に、映像通信端末および携帯通信端末を接続する第２処理と、映像通信端末および無線接続機器の接続情報を携帯通信端末を介して映像通信端末へ取得させる第３処理と、第３処理により取得された接続情報に基づいて映像通信端末と無線接続機器とを接続する第４処理と、を含むものである。
【００３４】
映像通信プログラムは、第１処理の判定により通信不可と判定された場合、第２処理により映像通信端末および携帯通信端末を接続する。そして、第３処理により映像通信端末および無線接続機器の接続情報が携帯通信端末を介して映像通信端末へ取得される。そして、第３処理により取得された接続情報に基づいて第４処理により映像通信端末と無線接続機器とが接続される。
【００３５】
この場合、初期状態で映像通信端末が、無線接続機器と通信できない場合であっても、携帯通信端末を利用して映像通信端末を無線接続機器と容易に接続することができる。
【００３６】
（１１）
さらに他の局面に従う携帯通信端末プログラムは、外部インターネットに接続可能な無線接続機器と接続された携帯通信端末に用いられる携帯通信端末プログラムであって、携帯通信端末プログラムは、映像通信端末が無線接続機器と通信可能か否かを判定する第５処理と、第５処理において通信不可と判定された場合に、携帯通信端末が映像通信端末に接続する第６処理と、映像通信端末および無線接続機器の接続情報を携帯通信端末を介して映像通信端末へ取得させる第７処理と、第７処理により取得された接続情報に基づいて映像通信端末と無線接続機器とを接続させる第８処理と、を含むものである。
【００３７】
携帯通信端末プログラムは、第５処理の判定により通信不可と判定された場合、第６処理により映像通信端末および携帯通信端末を接続する。そして、第７処理により映像通信端末および無線接続機器の接続情報が携帯通信端末を介して映像通信端末へ取得される。そして、第７処理により取得された接続情報に基づいて第８処理により映像通信端末と無線接続機器とが接続される。
【００３８】
この場合、初期状態で映像通信端末が、無線接続機器と通信できない場合であっても、携帯通信端末を利用して映像通信端末を無線接続機器と容易に接続することができる。
【００３９】
（１２）
さらに他の局面に従う映像通信端末プログラムは、外部インターネットに接続可能な無線接続機器および接続された携帯通信端末を有するシステム内において、映像表示装置に取り付けられる映像通信端末に用いられる映像通信端末プログラムであって、映像通信端末プログラムは、映像通信端末が無線接続機器と通信可能か否かを判定する第９処理と、第９処理において通信不可と判定された場合に、映像通信端末および携帯通信端末を接続する第１０処理と、映像通信端末および無線接続機器の接続情報を携帯通信端末を介して映像通信端末へ取得させる第１１処理と、第１１処理により得られた接続情報に基づいて映像通信端末と無線接続機器とを接続する第１２処理と、を含むものである。
【００４０】
映像通信端末プログラムは、第９処理の判定により通信不可と判定された場合、第１０処理により映像通信端末および携帯通信端末を接続する。そして、第１１処理により映像通信端末および無線接続機器の接続情報が携帯通信端末を介して映像通信端末へ取得される。そして、第１１処理により取得された接続情報に基づいて第１２処理により映像通信端末と無線接続機器とが接続される。
【００４１】
この場合、初期状態で映像通信端末が、無線接続機器と通信できない場合であっても、携帯通信端末を利用して映像通信端末を無線接続機器と容易に接続することができる。
【００４２】
（ａ）
外部インターネットに接続可能な無線接続機器と、前記無線接続機器と接続された携帯通信端末と、映像表示装置に取り付けられる映像通信端末と、を含み、前記携帯通信端末および前記映像通信端末のいずれか一方は、前記映像通信端末が前記無線接続機器と通信できない場合に、前記映像通信端末および前記携帯通信端末を接続し、前記携帯通信端末から接続情報を前記映像通信端末へ取得させ、前記映像通信端末と前記無線接続機器とを接続するよう制御することを特徴とする映像通信システム。
【００４３】
この場合、初期状態で映像通信端末が、携帯通信端末と無線接続機器のＳＳＩＤを用いて、無線接続機器と映像通信端末とを接続することができる。
【００４４】
（ｂ）
外部インターネットに接続可能な無線接続機器と接続された携帯通信端末であって、前記携帯通信端末は、映像表示装置に取り付けられた映像通信端末が前記無線接続機器と通信できない場合に、前記携帯通信端末が前記映像通信端末と接続し、前記携帯通信端末から接続情報を前記映像通信端末に取得させ、前記映像通信端末と前記無線接続機器とを接続するよう制御することを特徴とする、携帯通信端末。
【００４５】
この場合、初期状態で映像通信端末が、携帯通信端末と無線接続機器のＳＳＩＤを用いて、無線接続機器と映像通信端末とを接続することができる。
【００４６】
（ｃ）
外部インターネットに接続可能な無線接続機器と接続された携帯通信端末とを有するシステム内において、映像表示装置に取り付けられる映像通信端末であって、前記映像通信端末は、前記映像通信端末が前記無線接続機器と通信できない場合に、前記映像通信端末は、前記携帯通信端末と接続し、前記携帯通信端末から接続情報を取得し、前記無線接続機器と接続するよう制御することを特徴とする、映像通信端末。
【００４７】
この場合、初期状態で映像通信端末が、携帯通信端末と無線接続機器のＳＳＩＤを用いて、無線接続機器と映像通信端末とを接続することができる。
【発明の効果】
【００４８】
本発明によれば、無線接続機器と通信できない場合であっても、携帯通信端末を利用して映像通信端末を無線接続機器と容易に接続することができる。
【図面の簡単な説明】
【００４９】
【図１】本実施の形態にかかる映像通信システムの一例を示すための模式図である。
【図２】映像通信システムの第１の携帯通信端末メインモードの一例を説明するためのフローチャートである。
【図３】映像通信システムの第１の携帯通信端末メインモードの一例を説明するためのフローチャートである。
【図４】第１の携帯通信端末メインモードにおける通信の一部を説明するための模式図である。
【図５】第１の携帯通信端末メインモードにおける通信の他の例を説明するための模式図である。
【図６】第１の携帯通信端末メインモードにおける携帯通信端末からＳＴＢを操作する際の説明図である。
【図７】図２と異なる第２の携帯通信端末メインモードの一例を示すフローチャートである。
【図８】第１のＳＴＢメインモードの一例を説明するためのフローチャートである。
【図９】第１のＳＴＢメインモードの一例を説明するためのフローチャートである。
【図１０】第１のＳＴＢメインモードにおける通信の一部を説明するための模式図である。
【図１１】図８と異なる第２のＳＴＢメインモードの一例を示すフローチャートである。
【図１２】操作時における一例を説明するための模式図である。
【図１３】操作時における他の例を説明するための模式図である。
【図１４】初期状態復帰システムを持つＳＴＢの一例を説明するための模式図である。
【発明を実施するための形態】
【００５０】
以下、図面を参照しつつ、本発明の実施の形態について説明する。以下の説明では、同一の構成には同一の符号を付してある。それらの名称および機能も同じである。したがって、それらについての詳細な説明は繰り返さない。
【００５１】
以下、本発明に係る一実施の形態について図面を用いて説明する。図１は、本実施の形態にかかる映像通信システム１００の一例を示すための模式図である。
【００５２】
（映像通信システム１００）
図１に示すように、映像通信システム１００は、主に携帯通信端末２００、セットトップボックス（以下、ＳＴＢと略記する）３００、および無線ルータ５００を有する。また、ＳＴＢ３００は、映像表示装置６００に接続される。また、映像表示装置６００は、コントローラ６１０を有する。
【００５３】
図１に示す映像通信システム１００では、携帯通信端末２００および無線ルータ５００が、既に無線接続されている。当該詳細については後述する。以下、各機器について説明を行なう。
【００５４】
（携帯通信端末２００）
携帯通信端末２００は、第１無線通信部２１０、情報処理部２２０、接続装置検索部２３０、切換部２４０、アクセスポイント部２５０、クライアント部２６０、第２無線通信部２７０およびタッチパネル２８０を含む。
【００５５】
第１無線通信部２１０は、携帯通信端末２００から電話回線または直接外部インターネットに通信接続可能な、例えば３Ｇ（３ｒｄ  Ｇｅｎｅｒａｔｉｏｎ）または、ＬＴＥ（Ｌｏｎｇ  Ｔｅｒｍ  Ｅｖｏｌｕｔｉｏｎ）等からなる。
【００５６】
情報処理部２２０は、ユーザによるタッチパネル２８０の操作により携帯通信端末２００における種々の処理を行なう。接続装置検索部２３０は、携帯通信端末２００の周囲に接続可能な装置または機器が存在するか否かを探索する。切換部２４０は、後述するアクセスポイント部２５０およびクライアント部２６０の切換を行なう。
【００５７】
アクセスポイント部２５０は、『親機』、『基地局』、『ステーション』等と呼ばれ、後述するクライアント部２６０からの依頼に応じて処理を行なう。
【００５８】
一方、クライアント部２６０は、アクセスポイント部２５０に対して『子機』等と呼ばれ、例えば、アクセスポイント部２５０との間において主従関係が構築され、クライアント部２６０（子機）側からアクセスポイント部２５０（親機、後述するアクセスポイント部３５０を含む）側へ、種々の処理を依頼するものである。
【００５９】
また、第２無線通信部２７０は、接続装置検索部２３０により検索された各種の接続装置と通信接続を行なう。すなわち、アクセスポイント部２５０およびクライアント部２６０は、第２無線通信部２７０を介して外部の接続可能な装置または機器と通信可能に設けられる。
【００６０】
（ＳＴＢ３００）
次いで、ＳＴＢ３００は、処理部３２０、切換部３４０、アクセスポイント部３５０、クライアント部３６０、第３無線通信部３７０、記録部３８０、ＨＤＭＩ（Ｈｉｇｈ-Ｄｅｆｉｎｉｔｉｏｎ  Ｍｕｌｔｉｍｅｄｉａ  Ｉｎｔｅｒｆａｃｅ、高精細度マルチメディアインターフェース）部３９０および電源部３９５を含む。
【００６１】
第３無線通信部３７０は、携帯通信端末２００または無線ルータ５００等と通信可能に設けられる。処理部３２０は、ＳＴＢ３００における種々の処理を行なう。処理部３２０は、高精細度映像をデコードするＡＶエンジン等を含む。
切換部３４０は、後述するアクセスポイント部３５０およびクライアント部３６０を切換える。
【００６２】
アクセスポイント部３５０は、『親機』、『基地局』、『ステーション』等と呼ばれ、後述するクライアント部３６０からの依頼に応じて処理を行なう。
【００６３】
一方、クライアント部３６０は、アクセスポイント部３５０に対して『子機』等と呼ばれ、例えば、アクセスポイント部３５０との間において主従関係が構築され、クライアント部３６０（子機）側からアクセスポイント部３５０（親機）側へ、種々の処理を依頼するものである。
【００６４】
また、第３無線通信部３７０は、他の各種の接続装置と通信接続を行なう。すなわち、アクセスポイント部３５０およびクライアント部３６０は、第３無線通信部３７０を介して外部の接続可能な装置または機器と通信可能に設けられる。
【００６５】
記録部３８０は、種々のデータを記録することができる記録装置であり、例えば、小型メモリーカードまたはソリッドステートドライブ（ＳＳＤ）等である。
【００６６】
ＨＤＭＩ部３９０は、映像、音声、制御信号を送受信可能で、映像表示装置６００のＨＤＭＩ入出力部に接続される。
電源部３９５は、ＳＴＢ３００の各部に電源を供給する。例えば、図１に示すように、電源部３９５は、映像表示装置６００のＵＳＢ電源供給部に接続、または一般用家庭コンセントの電源９００に接続される。
【００６７】
（無線ルータ５００）
無線ルータ５００は、無線ＬＡＮ（Ｌｏｃａｌ  Ａｒｅａ  Ｎｅｔｗｏｒｋ）ルータ、例えば、ＷｉＦｉ（Ｗｉｒｅｌｅｓｓ  Ｆｉｄｅｌｉｔｙ）アクセスポイントなどである。本実施の形態にかかる無線ルータ５００は、無線ＬＡＮ通信および外部インターネットに接続可能に設けられる。
【００６８】
続いて、本実施の形態にかかる映像通信システム１００の動作モードについて説明する。本実施の形態においては、主に２つのモードについて説明を行なう。２つのモードは、携帯通信端末メインモードおよびＳＴＢメインモードからなり、それぞれ第１、第２モードを有する。
結果として、４種類のモードについて説明する。第１の携帯通信端末メインモードと、第２の携帯通信端末メインモードと、第１のＳＴＢメインモードと、第２のＳＴＢメインモードからなる。
【００６９】
（第１の携帯通信端末メインモード）
図２および図３は、映像通信システム１００の第１の携帯通信端末メインモードの一例を説明するためのフローチャートであり、図４は第１の携帯通信端末メインモードにおける通信の一部を説明するための模式図であり、図５は第１の携帯通信端末メインモードにおける通信の他の例を説明するための模式図である。
【００７０】
図２および図３に示すように、まず、ＳＴＢ３００の電源がオンされる（ステップＳ１）。具体的に、ＳＴＢ３００の電源がオンされる場合とは、ＳＴＢ３００が映像表示装置６００のＨＤＭＩ入出力端子に差し込まれ、ＳＴＢ３００の電源部、例えばＵＳＢ接続等からなる電源部が映像表示装置６００に接続された、または電源９００と接続された場合である。
【００７１】
次に、ＳＴＢ３００は、自動的にＳＴＢ３００の記録部３８０に登録された無線ルータ５００の接続情報があるか否かの判定を行なう（ステップＳ２）。
ここで、登録された無線ルータ５００の接続情報が存在すると判定した場合（ステップＳ２のＹｅｓ）、図３のステップＳ１０の処理に移行する。
【００７２】
一方、登録された無線ルータ５００の接続情報が存在しないと判定した場合（ステップＳ２のＮｏ）、自動的に切換部３４０によりアクセスポイント部３５０へ切換えを行なう（ステップＳ３）。次いで、ＳＴＢ３００は、通信可能な携帯通信端末２００が有るか否かを判定する（ステップＳ４）。
ここで、通信可能な携帯通信端末２００が無いと判定された場合（ステップＳ４のＮｏ）、ＳＴＢ３００は自動的にステップＳ２の処理に戻り、処理を繰り返す。
【００７３】
一方、通信可能な携帯通信端末２００が有ると判定された場合（ステップＳ４のＹｅｓ）、自動的に切換部３４０がクライアント部３６０へ切換えを行なう（ステップＳ５）。
【００７４】
また、ステップＳ５の処理の際に、携帯通信端末２００は、接続設定のアプリケーションを起動させる。その結果、携帯通信端末２００は、接続装置検索部２３０を用いて接続可能な装置が有るか否かを検索することができる。
ここで、携帯通信端末２００は、予め設定されたＳＳＩＤ（Ｓｅｒｖｉｃｅ  Ｓｅｔ  Ｉｄｅｎｔｉｆｉｅｒ）、またはＡＮＹのＳＳＩＤを用いてＳＴＢ３００を検索し、接続する。また、この接続時に携帯通信端末２００は、ＳＴＢ３００のＰＩＮ等の情報を受け取る。
【００７５】
続いて、図１に示すように、携帯通信端末２００は、再度、クライアント部２６０から第２無線通信部２７０を介して無線ルータ５００に接続する（ステップＳ６）。
次いで、携帯通信端末２００は、ＳＴＢ３００から受け取ったＰＩＮ等に応じてＳＴＢ３００用の接続情報を取得し、図４に示すようにＳＴＢ３００と接続しなおし、ＳＴＢ３００へ当該接続情報を送信する（ステップＳ７）。
【００７６】
携帯通信端末２００は、ＳＴＢ３００に送信された接続情報を記録部３８０へ記録させ（ステップＳ８）、当該接続情報を利用してＳＴＢ３００を無線ルータ５００と接続させる（ステップＳ９）。
【００７７】
図３に示すように、ここで、登録された無線ルータ５００の接続情報が存在すると判定した場合（ステップＳ２のＹｅｓ）について説明する。
携帯通信端末２００は、登録された無線ルータ５００があると判定した場合、切換部３４０がクライアント部３６０へ切換えを行なう（ステップＳ１０）。
そして、図５に示すように、携帯通信端末２００は、ＳＴＢ３００と無線ルータ５００とを接続させる（ステップＳ１１）。ステップＳ１１の処理の後、ステップＳ９の処理後と同じように、ステップＳ１２の処理に移行する。
【００７８】
続いて、図３に示すように、ＳＴＢ３００と無線ルータ５００との通信を開始し、無線ルータ５００を介して外部インターネットへアクセスを行なう（ステップＳ１２）。
【００７９】
そして、携帯通信端末２００の切換部２４０は、クライアント部２６０へ切換えを行なう（ステップＳ１３）。そして、携帯通信端末２００とＳＴＢ３００との接続を行なう（ステップＳ１４）。
この場合、図６に示すように、携帯通信端末２００とＳＴＢ３００とが接続されるので、携帯通信端末２００のタッチパネル２８０によりＳＴＢ３００の制御または操作を行なうことができる。
例えば、携帯通信端末２００のタッチパネル２８０を用いて映像選択または音量調整等を行なうことができる。
【００８０】
最後に、携帯通信端末２００は、ＳＴＢ３００が、電源オフされたか否かを判定する（ステップＳ１５）。ＳＴＢ３００が電源オフされていないと判定した場合（ステップＳ１５のＮｏ）、携帯通信端末２００は、待機する。
一方、ＳＴＢ３００が電源オフされたと判定した場合（ステップＳ１５のＹｅｓ）、携帯通信端末２００は、処理を終了する。
【００８１】
（第２の携帯通信端末メインモード）
図７は、図２と異なる第２の携帯通信端末メインモードの一例を示すフローチャートである。図７に示す第２の携帯通信端末メインモードが図２に示した第１の携帯通信端末メインモードと異なる点についてのみ説明を行なう。
【００８２】
図７に示す第２の携帯通信端末メインモードは、図２に示した第１の携帯通信端末メインモードのステップＳ６からステップＳ８の処理が異なる。
【００８３】
図７に示すように、自動的にＳＴＢ３００の切換部３４０がクライアント部３６０へ切換えを行なった後（ステップＳ５）、携帯通信端末２００は、自身が接続していた無線ルータ５００のＳＳＩＤをクライアント部２６０、第２無線通信部２７０を介して、ＳＴＢ３００に与える（ステップＳ６ａ）。
ＳＴＢ３００は、記録部３８０に当該接続情報（ＳＳＩＤ）を記録する（ステップＳ８）。
【００８４】
第２の携帯通信端末メインモードにおけるその他の処理については、第１の携帯通信端末メインモードと同じである。
【００８５】
（第１のＳＴＢメインモード）
次いで、図８および図９は第１のＳＴＢメインモードの一例を説明するためのフローチャートである。図１０は、第１のＳＴＢメインモードにおける通信の一部を説明するための模式図である。
【００８６】
図８および図９に示すように、まず、ＳＴＢ３００の電源がオンされる（ステップＳ２１）。具体的に、ＳＴＢ３００の電源がオンされる場合とは、ＳＴＢ３００が映像表示装置６００のＨＤＭＩ入出力端子に差し込まれ、ＳＴＢ３００の電源部、例えばＵＳＢ接続等からなる電源部が映像表示装置６００に接続された、または電源９００と接続された場合である。
【００８７】
次に、ＳＴＢ３００は、自動的にＳＴＢ３００の記録部３８０に登録された無線ルータ５００の接続情報があるか否かの判定を行なう（ステップＳ２２）。
ここで、登録された無線ルータ５００の接続情報が存在すると判定した場合（ステップＳ２２のＹｅｓ）、図９のステップＳ３０の処理に移行する。
【００８８】
一方、登録された無線ルータ５００の接続情報が存在しないと判定した場合（ステップＳ２２のＮｏ）、ＳＴＢ３００の切換部３４０がクライアント部３６０へ切換えを行なう（ステップＳ２３）。
次いで、ＳＴＢ３００は、通信可能な携帯通信端末２００が有るか否かを判定する（ステップＳ２４）。
ここで、通信可能な携帯通信端末２００が無いと判定された場合（ステップＳ２４のＮｏ）、ＳＴＢ３００はステップＳ２２の処理に戻り、処理を繰り返す。
【００８９】
一方、通信可能な携帯通信端末２００が有ると判定された場合（ステップＳ２４のＹｅｓ）、図１０に示すように、ＳＴＢ３００は、携帯通信端末２００の切換部２４０にアクセスポイント部２５０へ切換えを行なわせ、ＳＴＢ３００は、携帯通信端末２００と接続する（ステップＳ２５）。
【００９０】
ここで、ＳＴＢ３００は、予め設定されたＳＳＩＤ、またはＡＮＹのＳＳＩＤを用いて携帯通信端末２００と接続する。ここで、携帯通信端末２００は、ＳＴＢ３００のＰＩＮ等の情報を受け取る。
【００９１】
続いて、図１に示すように、携帯通信端末２００は、クライアント部２６０から第２無線通信部２７０を介して無線ルータ５００に接続する（ステップＳ２６）。
【００９２】
次いで、ＳＴＢ３００は、携帯通信端末２００からＳＴＢ３００用の接続情報を取得し、携帯通信端末２００は、ＳＴＢ３００と接続しなおし、ＳＴＢ３００へ当該接続情報を送信する（ステップＳ２７）。
【００９３】
ＳＴＢ３００は、記録部３８０に接続情報を記録し（ステップＳ２８）、ＳＴＢ３００は、接続情報を利用して無線ルータ５００と接続する（ステップＳ２９）。
【００９４】
図９に示すように、ここで、登録された無線ルータ５００の接続情報が存在すると判定した場合（ステップＳ２２のＹｅｓ）について説明する。
ＳＴＢ３００は、登録された無線ルータ５００があると判定した場合、切換部３４０がクライアント部３６０へ切換えを行なう（ステップＳ３０）。
そして、図５に示すように、携帯通信端末２００は、ＳＴＢ３００と無線ルータ５００とを接続させる（ステップＳ３１）。ステップＳ３１の処理の後、ステップＳ２９の処理後と同じように、ステップＳ３２の処理に移行する。
【００９５】
続いて、図９に示すように、ＳＴＢ３００と無線ルータ５００との通信を開始し、無線ルータ５００を介して外部インターネットへアクセスを行なう（ステップＳ３２）。
【００９６】
そして、携帯通信端末２００の切換部２４０は、クライアント部２６０へ切換えを行なう（ステップＳ３３）。そして、携帯通信端末２００とＳＴＢ３００との接続を行なう（ステップＳ３４）。
【００９７】
この場合、図６に示すように、携帯通信端末２００とＳＴＢ３００とが接続されるので、携帯通信端末２００のタッチパネル２８０によりＳＴＢ３００の制御または操作を行なうことができる。
例えば、携帯通信端末２００のタッチパネル２８０を用いて映像選択または音量調整等を行なうことができる。
【００９８】
最後に、ＳＴＢ３００は、電源オフされたか否かを判定する（ステップＳ３５）。ＳＴＢ３００が電源オフされていないと判定した場合（ステップＳ３５のＮｏ）、ＳＴＢ３００は、待機する。
一方、ＳＴＢ３００が電源オフされたと判定した場合（ステップＳ３５のＹｅｓ）、ＳＴＢ３００は、処理を終了する。
【００９９】
（第２のＳＴＢメインモード）
図１１は、図８と異なる第２のＳＴＢメインモードの一例を示すフローチャートである。図１１に示す第２のＳＴＢメインモードが図８に示した第１のＳＴＢメインモードと異なる点についてのみ説明を行なう。
【０１００】
図１１に示す第２のＳＴＢメインモードは、図８に示した第１のＳＴＢメインモードのステップＳ２６からステップＳ２８の処理が異なる。
【０１０１】
図１１に示すように、自動的に切換部３４０がクライアント部３６０へ切換えを行ない、携帯通信端末２００の切換部２４０がアクセスポイント部２５０へ切換え、ＳＴＢ３００と携帯通信端末２００とを接続した後（ステップＳ２５）、携帯通信端末２００は、自身が接続していた無線ルータ５００のＳＳＩＤをクライアント部２６０、第２無線通信部２７０を介して、ＳＴＢ３００に与える（ステップＳ２６ａ）。ＳＴＢ３００は、記録部３８０に当該接続情報（ＳＳＩＤ）を記録する（ステップＳ２８）。
【０１０２】
第２のＳＴＢメインモードにおけるその他の処理については、第１のＳＴＢメインモードと同じである。
以上のように、第２の携帯通信端末メインモードおよび第２のＳＴＢメインモードにおいては、無線ルータ５００に対して、携帯通信端末２００のＳＳＩＤを用いて、ＳＴＢ３００と自動接続を行い、後に、ＳＴＢ３００用のＳＳＩＤで接続を行なう。
【０１０３】
それにより、ユーザは、ＳＳＩＤの設定を行なう必要がなくなり、知識がなくても容易に接続を確立することができる。また、ＳＳＩＤだけでなく、無線ルータ５００およびＳＴＢ３００のいずれもにおいて最もセキュリティの高い暗号化（ＷＥＰ、ＷＰＡ、ＷＰＡ２等）を用いてもよい。
【０１０４】
また、本実施の形態においては、ＳＴＢ３００および無線ルータ５００を別々の装置であるとして例示説明したが、これに限定されず、一体に形成された装置または機器を用いてもよい。
さらに、本実施の形態においては、携帯通信端末２００を携帯電話またはスマートフォンであることとして説明を行ったが、これに限定されず、タブレット端末、他の携帯電話機器等であってもよい。
【０１０５】
（操作時における例）
図１２は、操作時における一例を説明するための模式図であり、図１３は、操作時における他の例を説明するための模式図である。
【０１０６】
図１２に示すように、１個のＳＴＢ３００に対して、携帯通信端末２００が複数ある場合もある。
図１２においては、携帯通信端末２００ａ，携帯通信端末２００ｂが存在する。例えば、親が携帯通信端末２００ａを所有し、子供が携帯通信端末２００ｂを所有する場合を考慮する。
【０１０７】
携帯通信端末２００ａにより図２、図３等の設定を行なったと仮定した場合、携帯通信端末２００ａのみ当該ＳＴＢ３００を操作可能としてもよい。
また、ＳＴＢ３００に対して携帯通信端末２００ａから、携帯通信端末２００ａ，２００ｂの固有情報を与えて、個々の優先順位を設定してもよい。
【０１０８】
さらに、子供が所有する携帯通信端末２００ｂについては、アクセス制限等の制限機能を付加させてもよい。ここで、アクセス制限の制限機能とは、操作可能な時間、すなわち一日一定時間のみ操作可能、未成年における視聴制限、Ｒ１８指定制限等、その他任意の制限を意味する。
【０１０９】
また、携帯通信端末２００ａが携帯通信端末２００ｂよりも優先順位が高い場合、携帯通信端末２００ａがＳＴＢ３００を操作している場合であっても、携帯通信端末２００ａが電話等、他の操作を使用している場合、携帯通信端末２００ｂから割り込み処理によりＳＴＢ３００を操作可能にしてもよい。
【０１１０】
例えば、親が携帯通信端末２００ａを用いてＳＴＢ３００を操作した後、電話で映像表示装置６００の近傍を離れた場合、子供の所有する携帯通信端末２００ｂによりＳＴＢ３００を操作させてもよい。なお、親が映像表示装置６００の近傍に戻った場合には、割り込み処理を終了させてもよい。
【０１１１】
次いで、図１３に示すように、１個の携帯通信端末２００に対して、ＳＴＢ３００が複数ある場合もある。
図１３においては、ＳＴＢ３００ａ，ＳＴＢ３００ｂが存在する。例えば、ＳＴＢ３００ａはリビング等に配設された映像表示装置６００ａに取り付けられ、ＳＴＢ３００ｂはベッドルーム等、上述した映像表示装置６００ａと異なる映像表示装置６００ｂに取り付けられる。
【０１１２】
ここで、映像表示装置６００ａ，６００ｂの外観が異なる場合、予め携帯通信端末２００に映像表示装置６００ａ，６００ｂの外観の画像情報を記録させておき、実際に操作する場合、ＳＴＢ３００ａ，３００ｂの操作前に画像情報を比較して、映像表示装置６００ａ，６００ｂのいずれの近傍にいるか判定させて、映像表示装置６００ａ，６００ｂのいずれか一方を操作することができる。
【０１１３】
また、操作時に携帯通信端末２００に映像表示装置６００ａ，６００ｂの表示部にＳＴＢ３００ａ，３００ｂの固有識別情報を表示（ＱＲコード（登録商標））させ、携帯通信端末２００が当該表示（ＱＲコード（登録商標））を撮像し、認識することにより映像表示装置６００ａ，６００ｂのいずれか一方を操作させることとしてもよい。
【０１１４】
さらに、予め携帯通信端末２００に映像表示装置６００ａ，６００ｂを操作する位置、すなわち映像表示装置６００ａ，６００ｂを視認する位置または操作する位置をＧＰＳにより記録する。
【０１１５】
その結果、携帯通信端末２００は、記録された映像表示装置６００ａ，６００ｂを視認する位置または操作する位置のいずれに近接するかを判定し、ＳＴＢ３００ａ，３００ｂのいずれか一方を確実に操作することができる。
【０１１６】
このように、携帯通信端末２００が複数存在する場合であっても、容易に映像表示装置６００を操作することができる。さらに、映像表示装置６００が複数存在する場合であっても、容易に特定の映像表示装置６００に対して携帯通信端末２００で操作することができる。
【０１１７】
（初期設定復帰システム）
図１４は、初期状態復帰システムを持つＳＴＢ３００の一例を説明するための模式図である。
【０１１８】
図１４に示すように、ＳＴＢ３００は、リセットボタン３９９をさらに有してもよい。
例えば、携帯通信端末２００を紛失または故障、携帯通信端末２００の機種変更を行なった場合、リセットボタン３９９を押下操作することにより、記録部３８０に記録されたＳＳＩＤ等の接続情報を消去し、初期状態にリセットできる。
【０１１９】
また、携帯通信端末２００を紛失または故障、携帯通信端末２００の機種変更を行なった場合、ＳＴＢ３００が接続された映像表示装置６００およびコントローラ６１０を用いて、ＳＴＢ３００の記録部３８０に記録されたＳＳＩＤ等の接続情報を消去し、初期状態にリセットさせてもよい。
【０１２０】
この場合、携帯通信端末２００が故障、紛失または通信障害の場合であっても、映像表示装置６００のコントローラ６１０を用いて接続情報を初期化することができ、ＳＴＢ３００のリセットボタン３９９を操作することにより、接続情報を初期化することができる。
【０１２１】
以上のように、本実施の形態にかかる映像通信システム１００においては、無線ルータ５００と通信できない場合であっても、携帯通信端末２００を利用してＳＴＢ３００を無線ルータ５００と容易に接続することができる。
また、携帯通信端末２００は、ＳＴＢ３００を介して映像表示装置６００を操作することができるので、映像表示装置６００のコントローラ６１０を用いる必要がない。
【０１２２】
本発明においては、無線ルータ５００が無線接続機器に相当し、携帯通信端末２００，２００ａ，２００ｂが携帯通信端末に相当し、映像表示装置６００，６００ａ，６００ｂが映像表示装置に相当し、ＳＴＢ３００，ＳＴＢ３００ａ，ＳＴＢ３００ｂが映像通信端末に相当し、ＳＳＩＤ等が接続情報に相当し、コントローラ６１０が映像表示装置の操作部に相当し、リセットボタン３９９がリセットスイッチに相当し、映像通信システム１００が映像通信システムに相当し、ＱＲコード（登録商標）が画像情報に相当する。
【０１２３】
また、本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【０１２４】
１００  映像通信システム
２００，２００ａ，２００ｂ  携帯通信端末
３００，３００ａ，３００ｂ  ＳＴＢ
３９９  リセットボタン
５００  無線ルータ
６００，６００ａ，６００ｂ  映像表示装置
６１０  コントローラ
【図１】
2014078771.tif 000003
【図２】
2014078771.tif 000004
【図３】
2014078771.tif 000005
【図４】
2014078771.tif 000006
【図５】
2014078771.tif 000007
【図６】
2014078771.tif 000008
【図７】
2014078771.tif 000009
【図８】
2014078771.tif 000010
【図９】
2014078771.tif 000011
【図１０】
2014078771.tif 000012
【図１１】
2014078771.tif 000013
【図１２】
2014078771.tif 000014
【図１３】
2014078771.tif 000015
【図１４】
2014078771.tif 000016